(57)【要約】      （修正有）【課題】弱視者、視野狭窄者などの視覚障害者や高齢者、初心者にとって見やすく便利である色付き楽譜を提供する。【解決手段】本色付き楽譜１は、例えば、スチールギターやウクレレ（ソロ）の演奏用に用いられ、五線譜１ａとタブ譜１ｂとが上下並列に表示されており、タブ譜１ｂの複数の線がそれぞれ異なる色で着色されており、タブ譜１ｂの線上に表示されるフレット番号Ｆが、当該線と同じ色のマーカーで強調表示されている。【選択図】図１
0003159910.tif 000002
【実用新案登録請求の範囲】
【請求項１】
五線譜とタブ譜とが上下並列に表示されている楽譜において、
前記タブ譜の複数の線がそれぞれ異なる色で着色されており、
前記タブ譜の線上に表示されるフレット番号が、前記線と同じ色のマーカーで強調表示されている、
ことを特徴とする色付き楽譜。
【請求項２】
前記五線譜及び加線の線と線との間が、それぞれ異なる色で着色されていることを特徴とする請求項１に記載の色付き楽譜。
【請求項３】
歌詞の節が異なる色のマーカーで強調表示されていることを特徴とする請求項１又は２に記載の色付き楽譜。
【考案の詳細な説明】
【技術分野】
【０００１】
本考案は色付き楽譜に関する。
【背景技術】
【０００２】
従来、音階を表記するための五線譜や弦楽器用のタブ（ＴＡＢ）譜などの楽譜は、一色（通常は黒色）で表記されていた。
【０００３】
なお、音楽の初心者などが容易に楽譜を読めるようにするため、複数の各線を異なる色にした五線譜（特許文献１参照）、声部の音符を色分けした楽譜（特許文献２参照）、各音階を異なる色で区別する音階表記方法（特許文献３参照）が提案されている。
【特許文献１】特開２０００−２００５３号公報
【特許文献２】特開２００８−２８１７４７号公報
【特許文献３】特開２００２−２０７４７９号公報
【考案の開示】
【考案が解決しようとする課題】
【０００４】
従来の楽譜は一色で表記されているため、弱視者、視野狭窄者などの視覚障害者にとっては非常に見づらく不便であるという課題があった。
【０００５】
また、近年、高齢者を中心にスチールギターやウクレレなどの楽器の演奏を趣味にしようとする者が増えているが、従来の楽譜は一色で表記されているため、高齢者、初心者にとっても非常に見づらく不便であるという課題があった。
【０００６】
さらに、従来の特許文献には、本考案に同一又は類似する技術が開示されておらず、それを示唆する記載もない。
【０００７】
本考案は、上記課題を解決するために、弱視者、視野狭窄者などの視覚障害者や高齢者、初心者であっても見やすく便利である色付き楽譜を提供することを目的とする。
【課題を解決するための手段】
【０００８】
本発明は、五線譜とタブ譜とが上下並列に表示されている楽譜において、
前記タブ譜の複数の線がそれぞれ異なる色で着色されており、
前記タブ譜の線上に表示されるフレット番号が、前記線と同じ色のマーカーで強調表示されている、ことを特徴とするものである。
【０００９】
前記五線譜及び加線の線と線との間が、それぞれ異なる色で着色されていてもよい。
【００１０】
歌詞の節が異なる色のマーカーで強調表示されていてもよい。
【考案の効果】
【００１１】
請求項１に係る考案によれば、タブ譜の複数の線がそれぞれ異なる色で着色されており、タブ譜の線上に表示されるフレット番号が当該線と同じ色のマーカーで強調表示されているので、弱視者、視野狭窄者などの視覚障害者や高齢者、初心者であってもフレット番号を強く認識できるため、楽譜が見やすくなる。
【００１２】
請求項２及び３に係る考案によれば、五線譜及び加線の線と線との間や歌詞が、それぞれ異なる色で着色や強調表示されているので、弱視者、視野狭窄者などの視覚障害者や高齢者、初心者であっても五線や歌詞の位置を容易に認識できるため、楽譜が見やすくなる。
【図面の簡単な説明】
【００１３】
【図１】本考案の第１の実施の形態例に係る色付き楽譜を示す説明図であり、（Ａ）はスチールギター演奏用の楽譜、（Ｂ）はウクレレ（ソロ）演奏用の楽譜である。
【図２】本考案の第２の実施の形態例に係る色付き楽譜を示す説明図である。
【考案を実施するための最良の形態】
【００１４】
以下、本考案の実施の形態について図面を参照して説明する。図１は本考案の第１の実施の形態例に係る色付き楽譜を示す説明図であり、（Ａ）はスチールギター演奏用の楽譜、（Ｂ）はウクレレ（ソロ）演奏用の楽譜である。
【００１５】
図１（Ａ）及び（Ｂ）に示すように、本考案の第１の実施の形態例に係る色付き楽譜１は、五線譜１ａとタブ（ＴＡＢ）譜１ｂとがそれぞれ上下に並列に表示されており、五線譜１ａの各線はそれぞれ異なる色で着色されており、タブ譜１ｂの複数の線もそれぞれ異なる色で着色されている。
【００１６】
例えば、五線譜１ａについては、上から第５線Ｌ５が黄色、第４線Ｌ４が緑色、第３線Ｌ３がオレンジ色、第２線Ｌ２が青色（スカイブルー）、第１線Ｌ１がピンク色に着色されている。この場合、線そのものが着色されている場合だけでなく、黒色の線上に沿って各色に着色されている場合も含む。
【００１７】
また、タブ譜１ｂについては、例えば６弦のスチールギター演奏用に６つの線があるタブ譜の場合（図１（Ａ）参照）、上から第１弦Ｇ１が黄色、第２弦Ｇ２が緑色、第３弦Ｇ３がオレンジ色、第４弦Ｇ４が青色（スカイブルー）、第５弦Ｇ５がピンク色、第６弦Ｇ６が紫色に着色されている。この場合、線そのものが着色されている場合だけでなく、黒色の線上に沿って各色に着色されている場合も含む。
【００１８】
また、例えば４弦のウクレレ（ソロ）演奏用に４つの線があるタブ譜の場合（図１（Ｂ）参照）、上から第１弦Ｇ１が黄色、第２弦Ｇ２が緑色、第３弦Ｇ３がオレンジ色、第４弦Ｇ４が青色（スカイブルー）に着色されている。この場合、線そのものが着色されている場合だけでなく、黒色の線上に沿って各色に着色されている場合も含む。
【００１９】
また、タブ譜の線上に表示されるフレット番号Ｆは、線と同じ色のマーカーで強調表示されている（ここで、フレット番号Ｆは、押さえるべき弦のフレットの位置を示す番号であり、例えば、第２弦Ｇ２の線の位置にフレット番号「３」が表示されている場合は、２弦の３フレットを押さえることを意味する。なお、フレット番号「０」はどこも押さえない開放弦を意味する）。
【００２０】
例えば、図１（Ａ）に示すタブ譜１ｂにおいて、左側からフレット番号Ｆ「１０」は、第３弦Ｇ３と同じオレンジ色のマーカーで強調表示され、フレット番号Ｆ「５」及びＦ「６」は、第１弦Ｇ１と同じ黄色のマーカーで強調表示されている。
【００２１】
図１（Ｂ）に示すタブ譜１ｂにおいて、左からフレット番号Ｆ「０，１，２，２」はそれぞれ黄色、緑色、オレンジ色、青色（スカイブルー）のマーカーで強調表示され、フレット番号Ｆ「０」及びＦ「１」は、第２弦Ｇ２と同じ緑色のマーカーで強調表示され、フレット番号Ｆ「０」は第４弦Ｇ４と同じ青色（スカイブルー）のマーカーで強調表示されている。
【００２２】
本考案の第１の実施の形態例に係る色付き楽譜１によれば、タブ譜１ｂの複数の線がそれぞれ異なる色で着色されており、タブ譜１ｂの線上に表示されるフレット番号Ｆが当該線と同じ色のマーカーで強調表示されているので、弱視者、視野狭窄者などの視覚障害者や高齢者、初心者であってもフレット番号Ｆを強く認識できるため、楽譜が見やすくなる。
【００２３】
なお、五線譜１ａに加線が加わって線の数が増えた場合、上から黄色、緑色、オレンジ色、青色（スカイブルー）、ピンク色、紫色に着色していき、以降はこの順番の色に繰り返して着色していく。
【００２４】
図２は本考案の第２の実施の形態例に係る色付き楽譜を示す説明図である。
図２に示すように、本考案の第２の実施の形態例に係る色付き楽譜２は、五線譜１ａ及び加線１ｃの線と線との間（第１−第４間、下第１間、下第２間、下第３間・・・、上第１間、上第２間、上第３間・・・）が、それぞれ異なる色で着色されていることを特徴としている。線と線との間の色は、例えば、上から黄色、緑色、オレンジ色、青色（スカイブルー）、ピンク色、紫色に着色していき、以降はこの順番の色に繰り返して着色していく。
【００２５】
また、楽譜に歌詞Ｋが表示されている場合、歌詞Ｋの上にマーカーを引いて強調表示してもよい。この場合、２番以上の歌詞Ｋがある有節楽曲の場合、各節ごとに異なる色のマーカーを引いて強調表示される。
【００２６】
本考案の第２の実施の形態例に係る色付き楽譜２によれば、五線譜１ａ及び加線１ｃの線と線との間や歌詞が、それぞれ異なる色で着色や強調表示されているので、弱視者、視野狭窄者などの視覚障害者や高齢者、初心者であっても五線や歌詞の位置を容易に認識できるため、楽譜が見やすくなる。
【００２７】
本考案は、上記実施の形態に限定されることはなく、実用新案登録請求の範囲に記載された技術的事項の範囲内において、種々の変更が可能である。
【００２８】
例えば、タブ譜１ｂについては、スチールギターやウクレレ以外の楽器の演奏用の楽譜についても適用できる。
【００２９】
また、本考案の上記説明した処理をパソコン等のコンピュータに実行させる楽譜作成ソフトとして適用することも可能である。
【符号の説明】
【００３０】
１：色付き楽譜
１ａ：五線譜
１ｂ：タブ譜
１ｃ：加線
２：色付き楽譜
Ｆ：フレット番号
Ｋ：歌詞
【図１】
0003159910.tif 000003
【図２】
0003159910.tif 000004